(57)【要約】【課題】把手の態様を簡便に変更できる引出しを提供する。【解決手段】引出し１５は、正面板２２、左右一対の側面板２３，２４、背面板および底面板２６で囲まれた収納室２７を有し、抜き差し可能に構成される。正面板２２の左右方向Ｘの中央位置に、前面側から凹む把手窓１８が形成される。把手窓１８の少なくとも上縁１８ａには、当該引出し１５を引き出す際に手指３２をかける把手が形成される。正面板２２の板の厚み範囲内で、把手窓１８の後方に把手窓１８に隣接し、且つ前後方向Ｙに連通するように、装飾板挿入室１９が形成される。装飾板挿入室１９は、把手窓１８より大きな輪郭を有し、上方に開放され、出し入れ可能に装飾板２０を収納する。装飾板２０を容易に交換できる。【選択図】図２
2014014419.tif 000002
【特許請求の範囲】
【請求項１】
正面板、左右一対の側面板、背面板および底面板で囲まれた収納室を有し、左右一対の側面板がガイドされながら抜き差し可能に造られた引出しにおいて、
正面板に対し、左右方向中央位置に、前面側から凹み、少なくとも凹みの上縁に引出しを引き出す際に手指をかける把手が形成された把手窓と、
正面板の前後方向に延びる板の厚み範囲内において、把手窓の後方に、把手窓に隣接し、且つ前後方向に連通するように形成されていて、把手窓より大きな輪郭を有し、その上部が正面板の上面に臨んでいる装飾板挿入室と、
装飾板挿入室に出し入れ可能に収納された装飾板と、
を含むことを特徴とする引出し。
【請求項２】
正面板は、前面側に配置された主板と、
この主板の裏面側に重ね合わされた補板とを含み、
装飾板挿入室は、当該装飾板挿入室の後面が主板の裏面に開放するように形成されていて、主板の裏面側に重ね合わされた補板の前面によって裏面側の開放面が閉じられている、ことを特徴とする請求項１に記載の引出し。
【請求項３】
装飾板挿入室には、装飾板が前後方向に２枚重ね合せた状態で収納され得る、ことを特徴とする請求項１または２に記載の引出し。
【発明の詳細な説明】
【技術分野】
【０００１】
この発明は、引出しに関する。
【背景技術】
【０００２】
特許文献１には、従来の引出しとして、箱状の収容室の正面板に、把手として機能する切欠きを設け、奥を被覆板で閉じることが提案されている。
【先行技術文献】
【特許文献】
【０００３】
【特許文献１】実開平０５−００４９４０号公報
【発明の概要】
【発明が解決しようとする課題】
【０００４】
しかし、特許文献１の引出しの被覆板は、正面板に固定されるので、被覆板を交換することはできない。
一方、引出しの一部分の模様、色、深さなどの態様を、ユーザーが自分の好みで簡単に変更できるようにしたいという要望がある。
そこで、この発明の目的は、把手の態様を簡便に変更できる引出しを提供することである。
【課題を解決するための手段】
【０００５】
請求項１記載の発明は、正面板、左右一対の側面板、背面板および底面板で囲まれた収納室を有し、左右一対の前記側面板がガイドされながら抜き差し可能に造られた引出しにおいて、前記正面板に対し、左右方向中央位置に、前面側から凹み、少なくとも凹みの上縁に前記引出しを引き出す際に手指をかける把手が形成された把手窓と、前記正面板の前後方向に延びる板の厚み範囲内において、前記把手窓の後方に、前記把手窓に隣接し、且つ前後方向に連通するように形成されていて、前記把手窓より大きな輪郭を有し、その上部が前記正面板の上面に臨んでいる装飾板挿入室と、前記装飾板挿入室に出し入れ可能に収納された装飾板と、を含むことを特徴とする引出しである。
【０００６】
請求項２記載の発明は、前記正面板は、前面側に配置された主板と、この主板の裏面側に重ね合わされた補板とを含み、前記装飾板挿入室は、当該装飾板挿入室の後面が前記主板の裏面に開放するように形成されていて、前記主板の裏面側に前記重ね合わされた補板の前面によって裏面側の開放面が閉じられている、ことを特徴とする請求項１に記載の引出しである。
【０００７】
請求項３記載の発明は、前記装飾板挿入室には、前記装飾板が前後方向に２枚重ね合せた状態で収納され得る、ことを特徴とする請求項１または２に記載の引出しである。
【発明の効果】
【０００８】
請求項１記載の発明によれば、装飾板を装飾板挿入室に対して容易に出し入れできるので、装飾板挿入室内の装飾板を容易に変更することができる。従って、例えば、模様や色が異なる装飾板に交換することで、把手の態様を容易に変更することができる。
請求項２記載の発明によれば、把手窓および装飾板挿入室が設けられた引出しを容易に製造することができる。
【０００９】
請求項３記載の発明によれば、２枚の装飾板を前後に入れ換えたり、装飾板の正面および裏面を反転させたりすることによって、多数通り、例えば４通りの表示ができる。
【図面の簡単な説明】
【００１０】
【図１】この発明の一実施の形態の引出し８，１２，１５を含む組み合わせ家具１の正面図である。
【図２】引出し１５の要部の部分断面分解斜視図である。
【図３】引出し１５の正面図である。
【図４】図３のIV−IV断面を示す引出し１５の断面図である。
【図５】図３のＶ−Ｖ断面を示す引出し１５の一部断面平面図である。
【図６】引出し１５の要部の別の部分断面分解斜視図である。
【発明を実施するための形態】
【００１１】
以下では、この発明の実施の形態を、添付図面を参照して詳細に説明する。
図１は、この発明の一実施の形態の引出し８，１２，１５を含む組み合わせ家具１の正面図である。
図１を参照して、組み合わせ家具１は、学習机２と、この学習机２の上に取り付けられた書棚３と、学習机２の下方に収容されたワゴン４とを有している。
【００１２】
学習机２は、天板６と、この天板６を支持する一対の側板７とを有している。天板６の下面には、前後方向（図１の紙面垂直方向に相当。）に移動可能な複数の引出し８が、左右に並んで設けられている。
書棚３は、棚板１０と、この棚板１０を支持する一対の側板１１とを有している。棚板１０の下面には、前後方向に移動可能な複数の引出し１２が左右に並んで設けられている。
【００１３】
ワゴン４は、正面視で四角筒形状をなす本体枠１４と、この本体枠１４内に前後方向に移動可能に設けられた複数の引出し１５とを有する。複数の引出し１５は、上下に並んでいる。本体枠１４の底面には、複数の車輪１６が設けられている。
引出し８，１２，１５のそれぞれは、後述する把手窓１８、装飾板挿入室１９、および装飾板２０を有している（一部のみ図示）。これらの構成要素を、ワゴン４等以外の家具の引出しに設けてもよい。以下では、ワゴン４の引出し１５に則して説明する。
【００１４】
図２は、引出し１５の要部の部分断面分解斜視図である。
図１および図２を参照して、引出し１５は、正面に配置されており把手として機能する凹み状の把手窓１８と、把手窓１８の後方に隣接して前後方向Ｙに連通するとともに上方に開放された装飾板挿入室１９と、装飾板挿入室１９に出し入れ可能に収納される装飾板２０とを有している。
【００１５】
引出し１５を引き出した状態で、装飾板挿入室１９に上方から装飾板２０を容易に出し入れすることができる。また、収納された装飾板２０の前面が、把手窓１８を通して、前方から見えるようになっている。
このように、装飾板挿入室１９内の装飾板２０を容易に変更することができるので、例えば、装飾板挿入室１９内にある装飾板２０を、これとは模様や色が異なる装飾板２０に交換することで、把手の色、模様等の態様を容易に変更することができる。また、装飾板２０の表面と裏面とで色、模様等を異ならせておき、正面に向く面を、表面と裏面とで入れ換えるようにしてもよい。
【００１６】
また、装飾板挿入室１９に装飾板２０を収納していない場合には、装飾板挿入室１９の内面（例えば、後述する補板３０の前面３０ａ）が、把手窓１８を通して前方から見えるようになっている。また、この場合には、把手の態様としての把手窓１８の深さ（前後方向Ｙの奥行き寸法）を、装飾板２０を収納した場合と比較して深くすることができる。
図３は、引出し１５の正面図である。図４は、図３のIV−IV断面を示す引出し１５の断面図である。図５は、図３のＶ−Ｖ断面を示す引出し１５の一部断面平面図である。
【００１７】
図３および図４を参照して、引出し１５は、正面板２２、左右一対の側面板２３，２４、背面板２５および底面板２６を有しており、上方に開放された箱形状をなしている。これらの各板２２〜２６は、例えば木製の板であり、これらの各板２２〜２６により囲まれて収納室２７が区画されている。
左右一対の側面板２３，２４は、左右一対の支持部材（具体的には、ワゴン４の本体枠１４の一対の側板）に直動案内機構（図示せず）を介して、前後方向Ｙに移動可能に支持されている。これにより、引出し１５の収納室２７は、前後方向Ｙに沿ってガイドされながら抜き差しできるように構成されている。
【００１８】
図４および図５を参照して、正面板２２は、前面側に配置された化粧板としての主板２９と、この主板２９の裏面２９ｂ側に重ね合わされた補板３０とを含んでいる。主板２９と補板３０とは、互いに固定されている。また、補板３０は、一対の側面板２３，２４および底面板２６と互いに固定されており、収納室２７の一部を区画している。
図３および図４を参照して、把手窓１８は、正面板２２の主板２９の前面の左右方向Ｘの中央位置に配置されており、正面視で略四角の環状をなしている。把手窓１８は、前面側から凹んだ凹みであり、全周にわたり連続した縁部を有している。把手窓１８は、全周にわたって、すなわち、上下方向Ｚの両側および左右方向Ｘの両側に関して、手前側よりも奥側で広がっている。縁部は、前後方向Ｙに対して傾斜した傾斜面を含み、断面段付き形状をなしている。
【００１９】
引出し１５を引き出す際には、把手窓１８に手指３２を差し入れて、この手指３２を把手窓１８の縁部に引っ掛けて、把手窓１８の縁部を引っ張ればよい。このように、把手窓１８は、当該引出し１５を引き出す際に手指３２をかける把手として機能する。なお、把手としての把手窓１８としては、少なくとも上縁１８ａを含んでいればよい。
図６は、引出し１５の要部における図２とは異なる部分断面分解斜視図である。
【００２０】
図３および図６を参照して、装飾板挿入室１９は、正面板２２の主板２９に、裏面２９ｂ側から凹んで形成されている。装飾板挿入室１９は、正面視で略矩形をなし、装飾板挿入室１９の下部は閉じられ、下側の両角部が丸められている。また、装飾板挿入室１９の上部１９ａは、正面板２２の主板２９の上面２９ａに臨んで開放されている。装飾板挿入室１９は、これの一部が、正面視で把手窓１８の全体と重なり合うようにこの把手窓１８の後方に配置されている。
【００２１】
装飾板挿入室１９は、把手窓１８よりも大きな輪郭を有しており、把手窓１８の後側端部よりも上下方向Ｚの両側および左右方向Ｘの両側にともに所定幅で広がっている。なお、装飾板挿入室１９は、把手窓１８の後側端部から上側および左右両側に広がるようにしてもよいし、上側および下側に広がるようにしてもよく、少なくとも上側に広がるように形成してあればよい。これにより、装飾板２０を把手窓１８よりも大きくでき、ひいては、装飾板挿入室１９内の装飾板２０が把手窓１８内に進入することを防止できる。
【００２２】
装飾板挿入室１９は、正面板２２の前後方向Ｙに延びる板の厚み範囲内において形成されており、具体的には、前後方向Ｙに関して、主板２９の厚みの範囲内で、把手窓１８の後端位置から、主板２９の裏面２９ｂにかけて形成されている。
また、主板２９に装飾板挿入室１９が形成されており、当該装飾板挿入室１９の後面が主板２９の裏面２９ｂに開放するように形成されている。主板２９の裏面２９ｂ側に重ね合わされた補板３０の前面３０ａによって、裏面２９ｂ側の装飾板挿入室１９の開放面１９ｃが閉じられている。これにより、把手窓１８および装飾板２０が設けられた引出し１５を容易に製造することができる。なお、補板３０の前面３０ａは、装飾板挿入室１９の開放面１９ｃの少なくとも一部を閉じればよい。
【００２３】
図２および図４を参照して、装飾板２０は、装飾板挿入室１９に出し入れ可能に収納されている。装飾板２０は、正面視で略矩形の板であり、下側の左右両側の角が、湾曲状に面取りされている。
本実施形態では、装飾板挿入室１９には、装飾板２０が前後方向Ｙに２枚重ね合せた状態で収納され得るように、装飾板挿入室１９および装飾板２０が構成されている。例えば、２枚の装飾板２０は、互いに同じ外形寸法で形成されている。前後方向Ｙについて、装飾板挿入室１９の寸法が、２枚の装飾板２０の板厚の和の値と等しいか、この値よりも大きくされている。これにより、例えば、２枚の装飾板２０の両面、合計４面の色（模様でもよい）を互いに異ならせておき、２枚の装飾板２０を前後に入れ換えたり、装飾板２０の正面および裏面を反転させたりすることができる。これによって、多数通り、例えば４通りの表示ができる。
【００２４】
また、装飾板２０が装飾板挿入室１９に挿入され、装飾板２０の下面と装飾板挿入室１９の底面とが互いに当接した状態で、装飾板２０の上面が、正面板２２の主板２９の上端面２９ａよりも低い位置に位置している。なお、装飾板２０の上面が、上端面２９ａと同じ高さ位置に位置してもよい。
また、補板３０の上端面は、装飾板挿入室１９内にある装飾板２０の上端面よりも下方に配置されている。この場合、装飾板２０を取り出し易くできる。
【００２５】
また、本実施形態について、以下のような変形例を考えることができる。例えば、装飾板挿入室１９には、装飾板２０が前後方向Ｙに３枚以上を重ね合せた状態で収納され得るようにしてもよいし、単一の装飾板２０のみが収納され得るようにしてもよい。その他、特許請求の範囲に記載された事項の範囲で種々の設計変更を施すことが可能である。
【符号の説明】
【００２６】
８，１２，１５    引出し
１８    把手窓
１８ａ    上縁
１９    装飾板挿入室
１９ａ    上部
１９ｃ    開放面
２０    装飾板
２２    正面板
２３，２４    側面板
２５    背面板
２６    底面板
２７    収納室
２９    主板
２９ａ    上面
２９ｂ    裏面
３０    補板
３０ａ    前面
３２    手指
Ｘ    左右方向
Ｙ    前後方向
【図１】
2014014419.tif 000003
【図２】
2014014419.tif 000004
【図３】
2014014419.tif 000005
【図４】
2014014419.tif 000006
【図５】
2014014419.tif 000007
【図６】
2014014419.tif 000008